(57)【要約】【課題】  電磁弁だけ、あるいはＴＣＵだけを交換しても、適正に補正が実行できる自動変速機の油圧制御装置の提供にある。【解決手段】  出荷前に、ＴＣＵ４から各電磁弁２に指示電流を与えて特性ズレを測定して補正電流値（ΔＩｃ）を求め、ＴＣＵ４のＥＥＰＲＯＭに記憶する。また、出荷前にＴＣＵ４から各電磁弁２に指示電流を与えて特性ズレを測定し、それを制御側補正電流値（ΔＩｔｃｕ）として記憶する。また、補正電流値（ΔＩｃ）から制御側補正電流値（ΔＩｔｃｕ）を差し引いて各電磁弁２毎の動作側補正電流値（ΔＩｓｏｌ）を求めて記憶する。そして、電磁弁２を交換する際は、交換後の動作側補正電流値（ΔＩｓｏｌ’）に入れ換えてΔＩｃ’＝ΔＩｔｃｕ＋ΔＩｓｏｌ’に変更する。またＴＣＵ４を交換する際は、交換後の制御側補正電流値（ΔＩｔｃｕ’）に入れ換えてΔＩｃ’＝ΔＩｔｃｕ’＋ΔＩｓｏｌに変更する。【選択図】  図１
2010138932.tif 000002
【特許請求の範囲】
【請求項１】
与えられる実電流（Ｉｊ）に応じた動作を行う電動動作実行手段と、この電動動作実行手段に与える指示電流（Ｉｓ）を制御する電気的制御手段とを備え、
この電気的制御手段が前記電動動作実行手段を通電制御した際に生じる動作ズレを、前記電気的制御手段に記憶する補正電流値（ΔＩｃ）により無くす方向に補正する電動機械装置において、
前記電気的制御手段は、当該電気的制御手段の発生する指示電流（Ｉｓ）と、前記電動動作実行手段に実際に与えられる実電流（Ｉｊ）との電流ズレを補正する制御側補正電流値（ΔＩｔｃｕ）を記憶するとともに、
前記電動動作実行手段に与えられる実電流（Ｉｊ）により、当該電動動作実行手段が動作した際の動作ズレを補正する動作側補正電流値（ΔＩｓｏｌ）を記憶し、
前記電動動作実行手段が別の電動動作実行手段に交換される際は、記憶していた前記動作側補正電流値（ΔＩｓｏｌ）と、交換される電動動作実行手段に付与された動作側補正電流値（ΔＩｓｏｌ’）とを入れ換えて、
変更前の補正電流値ΔＩｃ＝ΔＩｔｃｕ＋ΔＩｓｏｌを、
変更後の補正電流値ΔＩｃ’＝ΔＩｔｃｕ＋ΔＩｓｏｌ’に変更し、
前記電気的制御手段が別の電気的制御手段に交換される際は、記憶していた前記制御側補正電流値（ΔＩｔｃｕ）と、交換される電気的制御手段に付与された制御側補正電流値（ΔＩｔｃｕ’）とを入れ換えて、
変更前の補正電流値ΔＩｃ＝ΔＩｔｃｕ＋ΔＩｓｏｌを、
変更後の補正電流値ΔＩｃ’＝ΔＩｔｃｕ’＋ΔＩｓｏｌに変更することを特徴とする電動機械装置。
【請求項２】
請求項１に記載の電動機械装置において、
前記電気的制御手段は、出荷前に、当該電気的制御手段が発生する指示電流（Ｉｓ）と、前記電動動作実行手段に実際に与えられる実電流（Ｉｊ）との電流ズレを測定し、その測定された電流ズレを補正する制御側補正電流値（ΔＩｔｃｕ）を求め、
前記補正電流値（ΔＩｃ）から前記制御側補正電流値（ΔＩｔｃｕ）を差し引いて前記電動動作実行手段の動作側補正電流値（ΔＩｓｏｌ）を求めて、
前記制御側補正電流値（ΔＩｔｃｕ）、前記動作側補正電流値（ΔＩｓｏｌ）を個別に記憶することを特徴とする電動機械装置。
【請求項３】
請求項１に記載の電動機械装置において、
前記電気的制御手段は、出荷前に、前記電動動作実行手段に与えられる実電流（Ｉｊ）と、当該電動動作実行手段が実際に動作した際の動作ズレを測定し、その測定された動作ズレを補正する動作側補正電流値（ΔＩｓｏｌ）を求め、
前記補正電流値（ΔＩｃ）から前記動作側補正電流値（ΔＩｓｏｌ）を差し引いて前記電気的制御手段の制御側補正電流値（ΔＩｔｃｕ）を求めて、
前記制御側補正電流値（ΔＩｔｃｕ）、前記動作側補正電流値（ΔＩｓｏｌ）を個別に記憶することを特徴とする電動機械装置。
【請求項４】
請求項１〜請求項３のいずれかに記載の電動機械装置において、
前記電動動作実行手段は、車両用自動変速機に搭載される油圧コントロール部の電磁弁であり、
前記電気的制御手段は、前記電磁弁を通電制御するトランスミッション・コントロール・ユニットであり、
交換用の電磁弁には、交換用の動作側補正電流値（ΔＩｓｏｌ’）のデータコードが付与され、
交換用のトランスミッション・コントロール・ユニットには、交換用の制御側補正電流値（ΔＩｔｃｕ’）が記憶して与えられていることを特徴とする電動機械装置。
【発明の詳細な説明】
【技術分野】
【０００１】
本発明は、与えられる実電流（Ｉｊ）に応じた動作を行う電動動作実行手段と、この電動動作実行手段に与える指示電流（Ｉｓ）を制御する電気的制御手段とを備えた電動機械装置に関するもので、例えば車両用自動変速機における油圧コントロール部の電磁弁（電動動作実行手段の一例）と、この電磁弁を制御するトランスミッション・コントロール・ユニット（以下、ＴＣＵと称す：電気的制御手段の一例）とを備えた自動変速機の油圧制御装置に適用して好適な技術に関する。
【背景技術】
【０００２】
電動動作実行手段（電動機）と電気的制御手段（電子制御手段）からなる電動機械装置として、出荷前に、電気的制御手段によって電動動作実行手段を通電制御した際の動作ズレを測定し、その測定された動作ズレを補正する補正電流値（ΔＩｃ）を電気的制御手段に記憶させる。その後（出荷後）、電気的制御手段は、記憶する補正電流値（ΔＩｃ）に基づき動作ズレを無くす方向に指示電流（Ｉｓ）を補正する技術が知られている。
しかし、補正電流値（ΔＩｃ）は、電気的制御手段に固有の特性ズレと、電動動作実行手段に固有の特性ズレとを補正する電動機械装置に固有の値である。このため、故障等に対するメンテナンスのために電動動作実行手段、あるいは電気的制御手段の一方を交換しようとしても、電動機械装置の動作ズレを適正に補正できなくなってしまう。
その結果、部分交換ができなくなり、メンテナンスにおける交換単位が大きくなってしまい、交換部品や交換作業にかかるコストが大きくなってしまう不具合がある。
【０００３】
上記の不具合を、自動変速機の油圧制御装置を用いて説明する。ここで、油圧制御装置は、電磁弁が搭載された油圧コントロール部と、電磁弁の作動を制御するＴＣＵとで構成されている。
出荷前に、ＴＣＵによって油圧コントロール部の電磁弁を通電制御した際の油圧ズレ（動作ズレ）を測定し、その測定された油圧ズレを補正する補正電流値（ΔＩｃ）をＴＣＵに記憶させておく。その後、ＴＣＵは、記憶する補正電流値（ΔＩｃ）に基づき油圧ズレを無くす方向に指示電流（Ｉｓ）を補正する技術が知られている（例えば、特許文献１参照）。
しかし、補正電流値（ΔＩｃ）は、ＴＣＵに固有の特性ズレ（指示電流と実電流のズレ）と、電磁弁に固有の特性ズレ（実電流と出力油圧のズレ）とを補正する油圧制御装置に固有の値であるため、故障等に対するメンテナンスのために電磁弁、あるいはＴＣＵを交換すると、油圧制御装置の油圧ズレを適正に補正できなくなってしまう。
このように、従来の技術では、部分交換ができず、油圧制御装置のメンテナンスにおける交換単位が大きくなってしまい、交換部品や交換作業にかかるコストが大きくなってしまう不具合がある。
【特許文献１】特開平５−２１５２０６号公報
【発明の開示】
【発明が解決しようとする課題】
【０００４】
本発明は、上記問題点に鑑みてなされたものであり、その目的は、電動動作実行手段または電気的制御手段の一方を交換しても、動作ズレを適正に補正することができ、メンテナンス時に交換部品の単位を抑えることが可能な電動機械装置の提供にある。
【課題を解決するための手段】
【０００５】
［請求項１の手段］
請求項１の手段を採用する電動機械装置の電気的制御手段は、電気的制御手段の発生する指示電流（Ｉｓ）と、電動動作実行手段に実際に与えられる実電流（Ｉｊ）との電流ズレを補正する制御側補正電流値（ΔＩｔｃｕ）を記憶するとともに、電動動作実行手段に与えられる実電流（Ｉｊ）により電動動作実行手段が動作した際の動作ズレを補正する動作側補正電流値（ΔＩｓｏｌ）を記憶する。
そして、電動動作実行手段が別の電動動作実行手段に交換される際は、記憶していた動作側補正電流値（ΔＩｓｏｌ）と、交換される電動動作実行手段に付与された動作側補正電流値（ΔＩｓｏｌ’）とを入れ換えて、変更前の補正電流値「ΔＩｃ＝ΔＩｔｃｕ＋ΔＩｓｏｌ」を、変更後の補正電流値「ΔＩｃ’＝ΔＩｔｃｕ＋ΔＩｓｏｌ’」に変更する。
また、電気的制御手段が別の電気的制御手段に交換される際は、記憶していた制御側補正電流値（ΔＩｔｃｕ）と、交換される電気的制御手段に付与された制御側補正電流値（ΔＩｔｃｕ’）とを入れ換えて、変更前の補正電流値「ΔＩｃ＝ΔＩｔｃｕ＋ΔＩｓｏｌ」を、変更後の補正電流値「ΔＩｃ’＝ΔＩｔｃｕ’＋ΔＩｓｏｌ」に変更する。
このように、電動動作実行手段または電気的制御手段の一方を交換しても、交換後に適正な補正電流値（ΔＩｃ’）により電動機械装置を補正することができ、電動機械装置に固有の動作ズレを適正に補正することができる。
そして、電動動作実行手段または電気的制御手段の一方のみを交換することができるため、メンテナンス時に交換部品の単位を抑えることができ、交換部品や交換作業にかかるコストを抑えることができる。
【０００６】
［請求項２の手段］
請求項２の手段を採用する電動機械装置の電気的制御手段は、出荷前に、電気的制御手段が発生する指示電流（Ｉｓ）と、電動動作実行手段に実際に与えられる実電流（Ｉｊ）との電流ズレを測定し、その測定された電流ズレを補正する制御側補正電流値（ΔＩｔｃｕ）を求める。そして、補正電流値（ΔＩｃ）から制御側補正電流値（ΔＩｔｃｕ）を差し引いて電動動作実行手段の動作側補正電流値（ΔＩｓｏｌ）を求め（ΔＩｓｏｌ＝ΔＩｃ−ΔＩｔｃｕ）、制御側補正電流値（ΔＩｔｃｕ）、動作側補正電流値（ΔＩｓｏｌ）を個別に記憶する。
このように、電気的制御手段に補正電流値（ΔＩｃ）と制御側補正電流値（ΔＩｔｃｕ）を与えるだけで、動作側補正電流値（ΔＩｓｏｌ）を求めて記憶することができる。
【０００７】
［請求項３の手段］
請求項３の手段を採用する電動機械装置の電気的制御手段は、出荷前に、電動動作実行手段に与えられる実電流（Ｉｊ）と、電動動作実行手段が実際に動作した際の動作ズレを測定し、その測定された動作ズレを補正する動作側補正電流値（ΔＩｓｏｌ）を求める。そして、補正電流値（ΔＩｃ）から動作側補正電流値（ΔＩｓｏｌ）を差し引いて電気的制御手段の制御側補正電流値（ΔＩｔｃｕ）を求め（ΔＩｔｃｕ＝ΔＩｃ−ΔＩｓｏｌ）、制御側補正電流値（ΔＩｔｃｕ）、動作側補正電流値（ΔＩｓｏｌ）を個別に記憶する。
このように、電気的制御手段に補正電流値（ΔＩｃ）と動作側補正電流値（ΔＩｓｏｌ）を与えるだけで、制御側補正電流値（ΔＩｔｃｕ）を求めて記憶することができる。
【０００８】
［請求項４の手段］
請求項４の手段を採用する電動機械装置は、自動変速機における油圧制御装置であり、電動動作実行手段は、自動変速機に搭載される油圧コントロール部の電磁弁であり、電気的制御手段は、電磁弁を制御するＴＣＵである。
そして、電磁弁が別の電磁弁に交換される際は、記憶していた動作側補正電流値（ΔＩｓｏｌ）と、交換される電磁弁に付与された動作側補正電流値（ΔＩｓｏｌ’）とを入れ換えて、変更前の補正電流値「ΔＩｃ＝ΔＩｔｃｕ＋ΔＩｓｏｌ」を、変更後の補正電流値「ΔＩｃ’＝ΔＩｔｃｕ＋ΔＩｓｏｌ’」に変更する。
また、ＴＣＵが別のＴＣＵに交換される際は、記憶していた制御側補正電流値（ΔＩｔｃｕ）と、交換されるＴＣＵに付与された制御側補正電流値（ΔＩｔｃｕ’）とを入れ換えて、変更前の補正電流値「ΔＩｃ＝ΔＩｔｃｕ＋ΔＩｓｏｌ」を、変更後の補正電流値「ΔＩｃ’＝ΔＩｔｃｕ’＋ΔＩｓｏｌ」に変更する。
このように、電磁弁またはＴＣＵを交換しても、交換後に適正な補正電流値（ΔＩｃ’）により油圧制御装置を適正に補正することができ、油圧制御装置に固有の動作ズレを適正に補正することができる。
このように、電磁弁またはＴＣＵの一方を交換することができるため、メンテナンス時に交換部品の単位を抑えることができ、交換部品や交換作業にかかるコストを抑えることができる。
【発明を実施するための最良の形態】
【０００９】
最良の形態１の電動機械装置は、自動変速機の油圧制御装置であり、与えられる実電流（Ｉｊ）に応じた動作を行う電磁弁と、この電磁弁に与える指示電流（Ｉｓ）を制御するＴＣＵとを備える。そして、ＴＣＵは、電磁弁を通電制御した際に生じる動作ズレを、ＴＣＵに記憶させた補正電流値（ΔＩｃ）により無くす方向に補正する。
ＴＣＵは、自身が発生する指示電流（Ｉｓ）と、電磁弁に実際に与えられる実電流（Ｉｊ）との電流ズレを補正する制御側補正電流値（ΔＩｔｃｕ）を記憶するとともに、電磁弁に与えられる実電流（Ｉｊ）により、電磁弁が動作した際の動作ズレを補正する動作側補正電流値（ΔＩｓｏｌ）を記憶する。
【００１０】
そして、電磁弁が別の油圧コントロール部の電磁弁に交換される際は、記憶していた動作側補正電流値（ΔＩｓｏｌ）と、交換される電磁弁に付与された動作側補正電流値（ΔＩｓｏｌ’）とを入れ換えて、
変更前の補正電流値ΔＩｃ＝ΔＩｔｃｕ＋ΔＩｓｏｌを、
変更後の補正電流値ΔＩｃ’＝ΔＩｔｃｕ＋ΔＩｓｏｌ’に変更する。
また、ＴＣＵが別のＴＣＵに交換される際は、記憶していた制御側補正電流値（ΔＩｔｃｕ）と、交換されるＴＣＵに付与された制御側補正電流値（ΔＩｔｃｕ’）とを入れ換えて、
変更前の補正電流値ΔＩｃ＝ΔＩｔｃｕ＋ΔＩｓｏｌを、
変更後の補正電流値ΔＩｃ’＝ΔＩｔｃｕ’＋ΔＩｓｏｌに変更する。
【実施例１】
【００１１】
本発明を車両用自動変速機の油圧制御装置に適用した実施例１を図１、図２を参照して説明する。
自動変速機１は、エンジンの発生する回転比の変更、回転方向の変更、トルクコンバータのロックアップの係脱、車種に応じて２輪と４輪の切替えを行うものであり、これらの実行を行うために複数の摩擦係合装置（多板クラッチ、多板ブレーキ等）を搭載するとともに、各摩擦係合装置の係脱をコントロールする油圧制御装置（電動機械装置の一例）を搭載する。
各摩擦係合装置は、摩擦要素（多板等）と、この摩擦要素の係脱を行う油圧アクチュエータとから構成される。各油圧アクチュエータの供給油圧は、自動変速機１に搭載された油圧制御装置により制御される。
油圧制御装置は、複数の電磁弁２を搭載する油圧コントロール部３（電動動作実行手段の一例）と、複数の電磁弁２を通電制御するＴＣＵ４（電気的制御手段の一例）とを備える。
【００１２】
油圧コントロール部３は、電磁力で作動する複数の電磁弁２と、この電磁弁２の作動により油路の切替えがなされるバルブボディ５とを備え、複数の電磁弁２が図１に示すようにバルブボディ５に固定される。なお、図１に示す電磁弁２の数は一例であって限定されるものではない。
【００１３】
電磁弁２は、バルブ部（スプール弁、ボール弁等）と、このバルブ部を駆動する電磁アクチュエータとを組み合わせた周知構造のものであり、摩擦係合装置の油圧アクチュエータの油圧を直接制御するダイレクト制御タイプや、摩擦係合装置の油圧アクチュエータの油圧を制御する独立弁を油圧によってコントロールするパイロット制御タイプが知られている。また、電磁弁２には、通電停止時に出力油圧の停止を行うノーマリ・ロー・タイプや、通電停止時に出力油圧を発生するノーマリ・ハイ・タイプが知られている。電磁弁２は、上記のタイプに関わらず、電磁アクチュエータに与えられる通電量（実電流）に応じた出力油圧を発生する。
【００１４】
ＴＣＵ４は、制御処理、演算処理を行うＣＰＵ、各種プログラムおよびデータを保存する記憶装置、入力回路、出力回路、電源回路等で構成された周知構造のマイクロコンピュータを搭載し、各検出装置（センサ）から与えられる乗員の操作指示信号および車両の運転状態に応じた演算結果に基づいて各電磁弁２の通電制御を行うものである。
なお、ＴＣＵ４の記憶装置は、書き込みが可能で、且つ通電が停止されてもデータを保持するＥＥＰＲＯＭを搭載する。
【００１５】
〔実施例１の特徴〕
油圧制御装置は、ＴＣＵ４の指令値に応じた油圧を各摩擦係合装置に与えるよう、出荷前において補正される。
具体的に、油圧制御装置は、出荷前に検査装置によって、図２（ａ）に示すように、ＴＣＵ４から各電磁弁２に指示電流（Ｉｓ）を与えて、基準特性（図中破線）に対する測定値の特性ズレ（ΔＰｃ）を測定し、求めた各電磁弁２毎の特性ズレ（ΔＰｃ）を補正する補正電流値（ΔＩｃ）を各電磁弁２毎に求め、求めた各補正電流値（ΔＩｃ）がＴＣＵ４のＥＥＰＲＯＭに記憶されている。
ここで、ＴＣＵ４は、各電磁弁２を通電制御した際に生じる特性ズレ（ΔＰｃ）を、ＥＥＰＲＯＭに記憶する補正電流値（ΔＩｃ）により無くす方向に補正するように設けられている。即ち、ＴＣＵ４は、ＥＥＰＲＯＭに記憶された各補正電流値（ΔＩｃ）に基づいて各電磁弁２の指示電流（Ｉｓ）を補正し、指示電流（Ｉｓ）に対して特性ズレ（ΔＰｃ）が生じないように油圧コントロール部３の出力油圧を制御する。
【００１６】
一方、ＴＣＵ４は、出荷前に検査装置によって、図２（ｂ）に示すように、そのＴＣＵ４から各電磁弁２に指示電流（Ｉｓ）を与えて、基準特性（図中破線）に対する測定値の特性ズレ（ΔＩｔｃｕ）を測定し、求めた特性ズレ（ΔＩｔｃｕ）を制御側補正電流値としてＴＣＵ４のＥＥＰＲＯＭに記憶させている。
【００１７】
ここで、ＴＣＵ４は、各電磁弁２毎の補正電流値（ΔＩｃ）と、各電磁弁２毎の制御側補正電流値（ΔＩｔｃｕ）が与えられると、各電磁弁２毎において補正電流値（ΔＩｃ）から制御側補正電流値（ΔＩｔｃｕ）を差し引いて各電磁弁２毎の動作側補正電流値（ΔＩｓｏｌ）を求め（ΔＩｓｏｌ＝ΔＩｃ−ΔＩｔｃｕ）、求めた動作側補正電流値（ΔＩｓｏｌ）をＴＣＵ４のＥＥＰＲＯＭに記憶するように設けられている。
即ち、ＴＣＵ４のＥＥＰＲＯＭは、ＴＣＵ４に応じた制御側補正電流値（ΔＩｔｃｕ）と、各電磁弁２に応じた動作側補正電流値（ΔＩｓｏｌ）とを個別に記憶するように設けられている。
【００１８】
さらに、ＴＣＵ４には、「電磁弁２」が「別の電磁弁２」に交換される際に、交換対象の電磁弁２に応じた動作側補正電流値（ΔＩｓｏｌ）と、交換される電磁弁２の動作側補正電流値（ΔＩｓｏｌ’）とを入れ換えて、
交換対象となる補正電流値ΔＩｃ＝ΔＩｔｃｕ＋ΔＩｓｏｌを、
交換後の補正電流値ΔＩｃ’＝ΔＩｔｃｕ＋ΔＩｓｏｌ’に変更するように設けられ、交換後は変更された補正電流値（ΔＩｃ’）に基づいて電磁弁２の指示電流（Ｉｓ）を補正し、指示電流（Ｉｓ）に対して特性ズレ（ΔＰｃ）が生じないように油圧コントロール部３の出力油圧を制御する。
【００１９】
具体的に、油圧コントロール部３は、上述したように、複数の電磁弁２と、バルブボディ５とを組み合わせたものであり、電磁弁２の交換には、（ｉ）電磁弁２を個別に交換する場合と、（ｉｉ）油圧コントロール部３を全部（複数の電磁弁２とバルブボディ５とからなるアッシー）交換する場合とがある。
【００２０】
一方、ＴＣＵ４には、「ＴＣＵ４」が「別のＴＣＵ４」に交換される際に、記憶していた制御側補正電流値（ΔＩｔｃｕ）と、交換されるＴＣＵ４に付与された制御側補正電流値（ΔＩｔｃｕ’）とを入れ換えて、
交換前の補正電流値ΔＩｃ＝ΔＩｔｃｕ＋ΔＩｓｏｌを、
交換後の補正電流値ΔＩｃ’＝ΔＩｔｃｕ’＋ΔＩｓｏｌに変更するように設けられている。
【００２１】
以下に、（ｉ）電磁弁２を個別に交換する場合、（ｉｉ）油圧コントロール部３を全体交換する場合、（ｉｉｉ）ＴＣＵ４を交換する場合を、それぞれ個別に説明する。
（電磁弁２の単品交換）
先ず、上記（ｉ）を説明する。
交換用の電磁弁２には、交換用の動作側補正電流値（ΔＩｓｏｌ’）をＴＣＵ４に読み込ませるためのデータコードが付与されている。
具体的に、交換用の電磁弁２は、出荷前に検査装置によって、図２（ｃ）に示すように、電磁弁２に実電流（Ｉｊ）を与え、基準特性（図中破線）に対する測定値の特性ズレ（ΔＰｓｏｌ’）を測定し、それを動作側補正電流値（ΔＩｓｏｌ’）とし、それをデータコードとして交換用の電磁弁２に付与している。
データコードは、ＱＲコード、バーコードなど、周知の読取可能なデータとして電磁弁２に付与されるものであり、例えば焼付や刻印によって電磁弁２の表面に設けられる。
【００２２】
一方、ＴＣＵ４には、交換用の電磁弁２に付与されているデータコードを、ＴＣＵ４に読み取らせるスキャナが接続可能に設けられている。そして、電磁弁２の交換を行う際は、スキャナで交換用の電磁弁２に付与されているデータコードを読み取り、交換対象の電磁弁２に応じた動作側補正電流値（ΔＩｓｏｌ）と、交換される電磁弁２の動作側補正電流値（ΔＩｓｏｌ’）とを入れ換える。これにより、ＴＣＵ４のＥＥＰＲＯＭは、制御側補正電流値（ΔＩｔｃｕ）と、各電磁弁２に応じた動作側補正電流値（ΔＩｓｏｌ’）を個別に記憶する。
【００２３】
この交換により、各電磁弁２の補正電流値（ΔＩｃ）が、
ΔＩｃ＝ΔＩｔｃｕ＋ΔＩｓｏｌから
ΔＩｃ’＝ΔＩｔｃｕ＋ΔＩｓｏｌ’に変更される。
これにより、電磁弁２の一部だけを変更しても、交換後に適正な補正電流値（ΔＩｃ’）を用いて各電磁弁２毎の指示電流（Ｉｓ）の補正が成され、油圧制御装置に固有の動作ズレを適正に補正することができる。
【００２４】
（油圧コントロール部３の全体交換）
次に、上記（ｉｉ）を説明する。
油圧コントロール部３を全体交換する場合、交換用の油圧コントロール部３には、全電磁弁２に対応した交換用の動作側補正電流値（ΔＩｓｏｌ’）をＴＣＵ４に読み込ませるためのデータコードが付与されている。
具体的に、交換用の油圧コントロール部３には、出荷前に検査装置によって、各電磁弁２毎に実電流（Ｉｊ）と、電磁弁２が実際に動作した際の特性ズレ（ΔＰｓｏｌ’）が測定され、各電磁弁２毎の特性ズレ（ΔＰｓｏｌ’）を動作側補正電流値とし、それがデータコードとして交換用の油圧コントロール部３のバルブボディ５に付与されている。
データコードは、ＱＲコード、バーコードなど、周知の読取可能なデータとしてバルブボディ５に付与されるものであり、例えば焼付や刻印によってバルブボディ５の表面に設けられる。
【００２５】
一方、ＴＣＵ４には、上述したように、スキャナが取付可能に設けられており、油圧コントロール部３をアッシー交換する際は、スキャナでバルブボディ５に付与されているデータコードを読み取り、交換前の各電磁弁２の動作側補正電流値（ΔＩｓｏｌ）と、交換後の各電磁弁２の動作側補正電流値（ΔＩｓｏｌ’）とを入れ換える。これにより、ＴＣＵ４のＥＥＰＲＯＭは、制御側補正電流値（ΔＩｔｃｕ）と、各電磁弁２に応じた動作側補正電流値（ΔＩｓｏｌ’）を個別に記憶する。
【００２６】
この交換により、各電磁弁２の補正電流値（ΔＩｃ）が、
ΔＩｃ＝ΔＩｔｃｕ＋ΔＩｓｏｌから
ΔＩｃ’＝ΔＩｔｃｕ＋ΔＩｓｏｌ’に変更される。
これにより、ＴＣＵ４はそのままで、油圧コントロール部３を全体交換しても、交換後に適正な補正電流値（ΔＩｃ’）を用いて各電磁弁２毎の指示電流（Ｉｓ）の補正が成され、油圧制御装置に固有の動作ズレを適正に補正することができる。
【００２７】
（ＴＣＵ４のモジュール交換）
次に、上記（ｉｉｉ）を説明する。なお、ＴＣＵ４のモジュール交換の際は、各電磁弁２に動作側補正電流値（ΔＩｓｏｌ’）を含むデータコード（ＱＲコード等）が予め付与されている必要がある。あるいは、油圧コントロール部３のバルブボディ５に全電磁弁２に対応した交換用の動作側補正電流値（ΔＩｓｏｌ’）を含むデータコード（ＱＲコード等）が予め付与されている必要がある。
【００２８】
交換用のＴＣＵ４には、交換用の制御側補正電流値（ΔＩｔｃｕ’）が記憶されている。
具体的に、交換用のＴＣＵ４は、出荷前に検査装置によって、図２（ｂ）と同様、ＴＣＵ４が発生する指示電流（Ｉｓ）と、各電磁弁２に実際に与えられる実電流（Ｉｊ）との特性ズレ（ΔＩｔｃｕ）が測定され、その特性ズレ（ΔＩｔｃｕ）を制御側補正電流値としてＴＣＵ４のＥＥＰＲＯＭに記憶させている。
【００２９】
一方、ＴＣＵ４には、上述したように、スキャナが取付可能に設けられており、ＴＣＵ４を交換する際は、スキャナで各電磁弁２毎に動作側補正電流値（ΔＩｓｏｌ’）を含むデータコード（ＱＲコード等）を読み取る、あるいはスキャナで全電磁弁２に対応した交換用の動作側補正電流値（ΔＩｓｏｌ’）を含むデータコード（ＱＲコード等）を読み取り、交換されたＴＣＵ４のＥＥＰＲＯＭに、未交換の各電磁弁２毎の動作側補正電流値（ΔＩｓｏｌ）を、各電磁弁２に対応して個別に記憶する。
【００３０】
この交換により、各電磁弁２の補正電流値（ΔＩｃ）が、
ΔＩｃ＝ΔＩｔｃｕ＋ΔＩｓｏｌから
ΔＩｃ’＝ΔＩｔｃｕ’＋ΔＩｓｏｌに変更される。
これにより、油圧コントロール部３の電磁弁２はそのままでＴＣＵ４だけを変更しても、交換後に適正な補正電流値（ΔＩｃ’）を用いて各電磁弁２毎の指示電流（Ｉｓ）の補正が成され、油圧制御装置に固有の動作ズレを適正に補正することができる。
【００３１】
（実施例１の効果）
実施例１の油圧制御装置は、上述したように、電磁弁２またはＴＣＵ４の一方を交換しても、交換後に適正な補正電流値（ΔＩｃ’）により出力油圧を適正に補正することができ、油圧制御装置に固有の特性ズレを適正に補正することができる。
また、メンテナンス時に油圧制御装置を全部交換するのではなく、電磁弁２またはＴＣＵ４の一方のみを交換できるため、メンテナンス時に交換部品の単位を抑えることができ、交換部品や交換作業にかかるコストを抑えることができる。
【００３２】
一方、補正値の記憶手段としてＴＣＵ４の記憶装置を用いるため、別途新たに記憶装置を追加する必要がない。また、ＴＣＵ４に対する搭載上の制約がなく、ＴＣＵ４の設計上の自由度が高い。さらに、ＴＣＵ４を自動変速機１の内部に配置することで、ＴＣＵ４を自動変速機１の側面に搭載する場合に生じる排気管からの遮熱を行う必要がない。
【実施例２】
【００３３】
上記の実施例１では、出荷前に、ＴＣＵ４が発生する指示電流（Ｉｓ）と、電磁弁２に実際に与えられる実電流（Ｉｊ）との電流ズレを測定し、その電流ズレを補正する制御側補正電流値（ΔＩｔｃｕ）を求め、補正電流値（ΔＩｃ）から制御側補正電流値（ΔＩｔｃｕ）を差し引いて電磁弁２の動作側補正電流値（ΔＩｓｏｌ）を求めて、制御側補正電流値（ΔＩｔｃｕ）、動作側補正電流値（ΔＩｓｏｌ）をＴＣＵ４のＥＥＰＲＯＭに記憶する例を示した。
これに対し、この実施例２は、出荷前に、電磁弁２に与えられる実電流（Ｉｊ）と、当該電磁弁２が実際に動作した際の動作ズレを測定し、その測定された動作ズレを補正する動作側補正電流値（ΔＩｓｏｌ）を求め、補正電流値（ΔＩｃ）から動作側補正電流値（ΔＩｓｏｌ）を差し引いてＴＣＵ４の制御側補正電流値（ΔＩｔｃｕ）を求めて、制御側補正電流値（ΔＩｔｃｕ）、動作側補正電流値（ΔＩｓｏｌ）をＴＣＵ４のＥＥＰＲＯＭに記憶するものである。
【００３４】
〔変形例〕
上記の実施例では、本発明を自動変速機１の油圧制御装置に適用する例を示したが、電磁弁２を電子制御手段で制御する他の装置に適用しても良い。
また、電動動作実行手段の一例として電磁弁２を例に示したが、電動アクチュエータで作動する「電動で動作を実行する手段」を電子制御手段で制御する他の装置に適用しても良い。
【図面の簡単な説明】
【００３５】
【図１】自動変速機の概略構成図である。
【図２】（ａ）指示電流に対する出力油圧の特性図、（ｂ）指示電流に対する実電流の特性図、（ｃ）実電流に対する出力油圧の特性図である。
【符号の説明】
【００３６】
１  自動変速機
２  電磁弁（電動動作実行手段）
３  油圧コントロール部
４  ＴＣＵ（電気的制御手段）
【図１】
2010138932.tif 000003
【図２】
2010138932.tif 000004